(57)【要約】【課題】誰でも簡単に清掃具を交換できる清掃用具を提供する。【解決手段】清掃用具１０は、清掃具４２を保持するための開閉自在な開口部１２を有する保持部２０と、保持部２０に連続して設けられたグリップ部１１とを含み、保持部２０は、グリップ部１１と一体化された第１保持部材１３と、第１保持部材１３とは別に設けられ、所定の位置で第１保持部材１３に接続される第２保持部材２１と、所定の位置に対して、第１保持部材１３の反対側に設けられ、開口部１２の開閉を操作するためのレバー３０とを含み、レバー３０は、開口部１２が閉じている状態で、第１保持部材１３を下側にしたとき上側が凹部となるように湾曲しており、開口部１２が所望の開度になるように操作するときは、反転される。【選択図】図１
2008173191.tif 000002
【特許請求の範囲】
【請求項１】
清掃具を保持するための開閉自在な開口部を有する保持部と、
前記保持部に連続して設けられたグリップ部とを含み、
前記保持部は、グリップ部と一体化された第１保持部材と、
前記第１保持部材とは別に設けられ、所定の位置で第１保持部材に接続される第２保持部材と、
前記所定の位置に対して、前記第１保持部材の反対側に設けられ、前記開口部の開閉を操作するためのレバーとを含み、
前記レバーは、前記開口部が閉じている状態で、前記第１保持部材を下側にしたとき上側が凹部となるように湾曲しており、前記開口部が所望の開度になるように操作するときは、反転される、清掃用具。
【請求項２】
前記レバーは、前記開口部が閉じているときは、前記グリップ部に収納される、請求項１に記載の清掃用具。
【請求項３】
前記レバーは、その一端部で前記第２保持部材と面接触する第１の面および第２の面を有し、
前記レバーは、前記第１の面で前記第２保持部材と面接触するとき前記グリップ部に収納され、前記第２の面で前記第２保持部材と面接触した後反転される、請求項１または２に記載の清掃用具。
【請求項４】
前記第２保持部材は、前記開口部側に一辺を有しその反対側で前記レバーに接続される三角形状の平板であり、前記平板の前記レバーに接続される部分において、前記平板を貫通する棒状部材を含み、
前記棒状部材は前記平板に平行に設けられたピンを有し、
前記レバーは、前記ピンを中心として回転可能である、請求項１から３のいずれかに記載の清掃用具。
【請求項５】
前記レバーの前記第１の面で前記第２保持部材と面接触するときの前記ピンと前記第２保持部材との間の寸法は、前記第２の面で前記第２保持部材と面接触するときの前記ピンと前記第２保持部材との間の寸法よりも小さい、請求項４に記載の清掃用具。
【請求項６】
前記第２保持部材は前記開口部において切り欠き部を有し、前記切り欠き部には、清掃具を固定する固定具に係合するための係合部が設けられる、請求項１から５のいずれかに記載の清掃用具。
【発明の詳細な説明】
【技術分野】
【０００１】
この発明は、清掃用具に関し、特に、清掃用のゴム板等の清掃具を容易に脱着できる清掃用具に関する。
【背景技術】
【０００２】
窓ガラスを清掃するための窓拭きワイパが、たとえば、特開平９−１５４７７６号公報（特許文献１）に開示されている。このような窓拭きワイパは、一方側の先端部に挟み部を有し、他端側に窓拭きワイパを保持するためのグリップを有している。清掃用具の挟み部で、窓拭き用のゴムを固定したホルダを保持する。この窓拭きワイパは、挟み部が狭く、グリップ側が広くなった、相互に対面する２枚の板で構成され、２枚の板は、そのほぼ中央部でヒンジによって連結され、連結部の一方側でホルダを保持し、他方端側には、挟み部が狭くなるように付勢するばねが設けられている。また、この窓拭きワイパには、挟み部が狭くなるように付勢するばねの力を緩めるように作用する押しボタンが設けられている。
【特許文献１】特開平９−１５４７７６号公報
【発明の開示】
【発明が解決しようとする課題】
【０００３】
従来の窓拭きワイパのような清掃用具は上記のように構成されていた。窓拭き用のゴムを固定したホルダのような清掃具を交換するためには、挟み部を開くために押しボタンを押す必要がある。すなわち、作業者は、清掃具の交換時には大きな力で押しボタンを押す必要があり、ホルダの交換が容易にはできない、という問題があった。
【０００４】
この発明は上記のような問題点に鑑みてなされたもので、誰でも簡単に清掃具を交換できる清掃用具を提供することを目的とする。
【課題を解決するための手段】
【０００５】
この発明に係る清掃用具は、清掃具を保持するための開閉自在な開口部を有する保持部と、保持部に連続して設けられたグリップ部とを含み、保持部は、グリップ部と一体化された第１保持部材と、第１保持部材とは別に設けられ、所定の位置で第１保持部材に接続される第２保持部材と、所定の位置に対して、第１保持部材の反対側に設けられ、開口部の開閉を操作するためのレバーとを含み、レバーは、開口部が閉じている状態で、第１保持部材を下側にしたとき上側が凹部となるように湾曲しており、開口部が所望の開度になるように操作するときは、反転される。
【０００６】
開口部が所望の開度になるように操作するときは、レバーは反転されて下側が凹部になるため、レバーを第１保持部材に対して押しやすくなるとともに、所定の位置を支点としてこの原理で開口部が小さな力で開閉できる。
【０００７】
所定の方向に湾曲したレバーが反転されるため、てこの原理を用いて、レバーを押し下げるだけで、開口部を任意の寸法に調整できるため、清掃具を取り付ける開口部を
その結果、清掃具が容易に脱落することなく、かつ、誰でも簡単に清掃具を取り外し可能な清掃用具を提供できる。
【０００８】
好ましくは、レバーは、開口部が閉じているときは、グリップ部に収納される。
【０００９】
さらに好ましくは、レバーは、その一端部で前記第２保持部材と面接触する第１の面および第２の面を有し、レバーは、第１の面で第２保持部材と面接触するときグリップ部に収納され、第２の面で第２保持部材と面接触した後反転される。
【００１０】
この発明の一つの実施の形態においては、第２保持部材は、開口部側に一辺を有しその反対側で前記レバーに接続される三角形状の平板であり、平板のレバーに接続される部分において、平板を貫通する棒状部材を含み、棒状部材は平板に平行に設けられたピンを有し、レバーは、ピンを中心として回転可能である。
【００１１】
なお、レバーの第１の面で第２保持部材と面接触するときのピンと第２保持部材との間の寸法は、第２の面で第２保持部材と面接触するときのピンと第２保持部材との間の寸法よりも小さい。
【００１２】
また、第２保持部材は開口部において切り欠き部を有し、切り欠き部には、清掃具を固定する固定具に係合するための係合部が設けられるのが好ましい。
【発明を実施するための最良の形態】
【００１３】
以下、この発明の実施の形態を図面を参照して説明する。図１はこの発明の一実施の形態に係る清掃用具の全体構成と、清掃用具に取り付けられる清掃具とを示す図である。
【００１４】
図１を参照して、清掃用具１０は、清掃具４０を保持するために開閉自在な開口部１２を有する保持部２０と、保持部２０に連続して設けられたグリップ部１１とを含む。保持部２０は、グリップ部１１と一体化された第１保持部材１３と、第１保持部材１３とは別に設けられ、保持部２０の下部において、ねじおよびナット５２のような連結部材で第１保持部材１３に接続される第２保持部材２１と、連結部材の設けられた位置よりも下部において、第１保持部材１３の反対側に設けられ、開口部１２が開閉するように操作するためのレバー３０とを含む。グリップ部１１は上下端部の径が小さく、中央部の径が大きい円筒形状であり、レバー３０は、図示のように開口部１２が閉じている状態では、グリップ部１１に設けられた凹部１４に収納されている。また、レバー３０はこの第２保持部材２１側が凹部となるように湾曲している。
【００１５】
清掃具４０は、窓拭き等に用いられるゴム板４１と、ゴム板４１を保持するための固定具４２とを含む。固定具４２は、全体としてＵ字状であり、ゴム板を背面から支持するための第１板部４６と、第１板部４６に対向した第２板部４４と、第１板部４６と第２板部４４とを接続する接続部４３とを含む。ゴム板４１は、接続部に形成された断面が円形の溝４３ａに沿って挿入されて固定される。清掃具４０は、清掃用具１０の保持部２０に形成されたチャネル１９に沿って挿入されて、清掃用具１０に保持される。
【００１６】
清掃用具１０が清掃具４０を保持するときには、開口部１２を開く必要があるが、このとき、レバー３０は反転され、てこの原理で簡単に開口部１２の開閉が可能になっている。具体的な構成および動作については後述する。
【００１７】
清掃具４０の第２板部４４には３箇所の溝４５ａ〜４５ｃが設けられている。保持部２０を構成する第２保持部材２１の開口部１２側には、３箇所の切り欠き部が設けられ、この切り欠き部には、突起２２ａ〜２２ｃが設けられ、清掃具４０が清掃用具１０に固定されるときには、突起２２ａ〜２２ｃが溝４５ａ〜４５ｃに係合し、それによって清掃具４０が清掃用具１０から容易には脱落しないようになっている。
【００１８】
次に清掃用具１０の具体的構成について説明する。図２は清掃用具１０を構成する個々の部品を説明する分解斜視図であり、図３は、清掃用具１０を組み立てた状態の正面図（Ａ）と、図（Ａ）においてＢ-Ｂで示す平面図（Ｂ）と、図（Ａ）においてＣ-Ｃで示す左側面図（Ｃ）と、図（Ａ）においてＤ-Ｄで示す底面図（Ｄ）である。図２および図３を参照して、清掃用具１０は、グリップ部１１と、グリップ部１１の上端部に設けられた第１保持部材１３に対向して設けられる第２保持部材２１と、第２保持部材２１に設けられたレバー３０とを含む。
【００１９】
第１保持部材１３はグリップ部１１の延在する方向に対して直交する直線状の先端部１３ａを有するとともに、その先端部１３ａに連続して設けられ、清掃具４０を保持するためのチャネル１９を形成するように外部に多少突出した形状を有し、全体として矩形状の上部１５ａと、上部１５ａに連続して設けられ、全体として逆三角形の板状の下部１５ｂとを含み、下部１５ｂで円筒形状のグリップ部１１と接続されている。なお、先端部１３ａは開口部１２の一方を構成している。
【００２０】
第１保持部材１３と第２保持部材２１とは下部１５ｂに設けられた穴１６ａ，１６ｂと第２保持部材２１に設けられた穴２８ａ，２８ｂを貫通するねじ５１ａ，５１ｂをナット５２ａ，５２ｂで締めることによって一体化される。
【００２１】
第２保持部材２１の下端部２３近傍には、第２保持部材２１を貫通し、一端が棒状で他端が円板状の端部を有する棒状部材２５が設けられる。棒状部材２５の一端側には貫通孔２５ａが設けられている。棒状部材２５は、その中心を軸として回転可能である。すなわち、棒状部材２５に、後に説明するピン６２を介して保持されたレバー３０は棒状部材２５を中心として回転可能である。なお、棒状部分はグリップ部１１の反対側に設けられる。
【００２２】
レバー３０は、その上部に設けられた穴６１と、棒状部材２５の貫通孔２５ａを貫通するピン６２によって一体化されている。ピン６２の向きは第２保持部材２１に平行である。レバー３０はピン６２を中心として図２および図３（Ｃ）において矢印で示す方向に回転可能である。
【００２３】
第２保持部材２１は上端部が広く、下端部に行くにつれて狭くなる逆三角形状を有する平板であり、開口部１２を形成する上端部２２には、上記したように、相互に間隔をあけて第１保持部材１３側に折り曲げられた爪（係合部）２２ａ〜２２ｃが設けられている。第２保持部材２１は下端部２３において上方向に反転した部分２６を有し、反転部分２６は穴２８ａ，２８ｂのほぼ下部まで上方向に延在し、そこから穴２８ａ，２８ｂ側に折れ曲がった部分２７を有している。なお、反転部分２６は、下端部とほぼ同じ幅を有しているのが好ましい。
【００２４】
第２保持部材２１の幅方向の中央部には、穴２８ａ，２８ｂの下部付近から下端部まで板ばね２４が設けられている。板ばね２４は棒状部材２５をまたぐように下端部において２又に分かれている。
【００２５】
レバー３０は、その上端部において、第２保持部材２１に設けられた棒状部材２５と当接しないように溝部３２ｂと、溝部３２ｂを挟んで設けられた２つの突出部３２ａ，３２ｃを有する。第２保持部材２１と接続するためのピン６２と係合する穴６１はそれぞれの突出部３２ａ，３２ｂの中央部に設けられる。
【００２６】
レバー３０は、グリップ部１１とは反対側に凹部が形成される（反る）ように湾曲しており、突出部３２ａ，３２ｃは、それぞれ、平坦な頂部（第２の面）３３ａ，３３ｂと、頂部３３ａ，３３ｂからレバー３０の下端に対して湾曲しながら延在する面３１とほぼ直交する角部３４ａ，３４ｂと、頂部３３ａ，３３ｂから角部３４ａ，３４ｂとは反対側に延在する、第１曲面部３５ａ，３５ｂと、第１曲面部３５ａ，３５ｂに連続して設けられた平面部（第１の面）３６ａ，３６ｂと、平面部３６ａ，３６ｂに連続して設けられ、グリップ部１１側に曲がった第２曲面部３７と、第２曲面部３７に連続して設けられ、グリップ部１１側から見るとその周囲に対してＴ字状に突出した平端部を有する面３８とを含む。グリップ部１１のレバー３０側には、Ｔ字状に突出した面３８に対応する溝を有する凹部１４が形成されており、それによって、レバー３０は、清掃用具１０の不使用時や清掃具４０の保持時において、図１に示すように、グリップ部１１内に収納可能である。
【００２７】
なお、頂部３３ａ，３３ｂから第１曲面部３５ａ，３５ｂへ到る部分には、若干の平面部が存在してもよい。
【００２８】
また、平面部３６ａ，３６ｂと第２曲面部３７とは、第２保持部材２１の下端部２３に沿う形状を有している。また、ねじ５１ａ，５１ｂおよびナット５２ａ，５２ｂによって第２保持部材２１を第１保持部材１３と一体化したときに、第２保持部材２１の反転部分２６から折れ曲がった部分２７へ到る曲面部分２７ａが第１保持部材１３に当接する。
【００２９】
次に、このような構成を有する清掃用具１０において、清掃具４０を着脱する動作について説明する。図４および図５はこの動作を説明するための図である。清掃用具１０を使用しないときは、レバー３０は、グリップ部１１の凹部１４に収納されている。この状態から保持部２０で清掃具４０を保持するときは、図４において点線で示すレバー３０ａを図中矢印Ａ、Ｂで示す方向に順に持ち上げて図中一点鎖線で示す状態３０ｂから実線で示す３０ｃの位置にする。これは、レバー３０がピン６１によって回転可能に第２保持部材２１に保持されていること、およびレバー３０のピン６１回りの形状が上記したように、頂部３３ａ，３３ｂから第１曲面部３５ａ，３５ｂに連続した形状を有することから可能である。このようにレバー３０を３０ｂの位置にすると、板ばね２４は図２に示したように、棒状部材２５の円板状の端部から離れた位置にある状態から、第２保持部材２１に押し当てられた状態（図４参照）となり、それによって、少なくとも、第２保持部材２１の両端の突起２２ａ，２２ｃが第１保持部材１３側に押され、清掃具４０が確実に保持部２０で保持される。
【００３０】
なお、このような構成となるのは、レバー３０がグリップ部１１に収納されているときに、平面部３６ａ，３６ｂが第２保持部材２１の下端部に面接触するときのピン６２と第２保持部材２１との間の寸法ａが、図４において実線で示す位置にレバー３０があるときに、平坦な頂部３３ａ，３３ｂで第２保持部材２１と面接触するときのピン６２と第２保持部材２１との間の寸法ｂよりも小さく設定されているためである。
【００３１】
また、第１保持部材１３の下部１５ｂに設けられた穴１６ａ，１６ｂは、下部１５ｂよりも凹んだ位置に設けられ、かつ、その穴１６ａ，１６ｂは上部１５ａからグリップ部１１に向かって長くなった長穴であるのが好ましい。
【００３２】
次に、実線で示した状態３０ｃから、図５において実線で示す状態３０ｄになるように、レバー３０ｃを棒状部材２５を中心にして図４において矢印Ｃで示すように回転してレバー３０を元の状態から反転する。そうすると、レバー３０ｄは上記したように湾曲しているため、レバー３０ｄは図５において矢印Ｄで示す方向に容易に押すことができる。このようにレバー３０ｄで押してレバーの位置を３０ｅにした場合の第２保持部材２１の変形状態を図中において点線で示す。
【００３３】
図５に示すように、レバーが３０ｄの位置になれば、ねじ５１とナット５２とで固定された部分が支点となり、ピン６１の第２保持部材２１に当接する部分が作用点となり、レバー３０ｄのピン６１の設けられた位置とは反対側の端部である、指等で押す部分が力点となる、てこが形成される。したがって、この状態であれば、小さな力でレバー３０を矢印Ｄで示す方向に押すだけで、大きな力が第２保持部材２１にかかり、図５において点線で示すように第２保持部材２１は下方向に押され、それに伴って、反転部分２６から折れ曲がった部分２７へ到る曲面部分２７ａが第１保持部材１３の下端部１５ｂに沿って図中矢印Ｅ方向へ移動されるとともに、第２保持部材２１のねじ５１よりもグリップ部１１側の部分は下方向へ押され、逆に、ピン５１よりも先端部（開口部）側は、図中矢印Ｆで示す方向に持ち上げられ、開口部１２が開く。誰でも容易に開口部１２を小さな力で開くことができるため、清掃具４０の交換を容易に行うことができる。
【００３４】
このようにして開口部１２を開けて清掃具４０を交換した後は、上記の手順を逆にして、レバー３０を再度グリップ部１１の所定の凹部１４に収容して清掃作業を行う。
【００３５】
この交換時においては、保持部２０が開口されるため、清掃具４０が脱落する恐れも考えられるが、この実施の形態においては、保持部２０を構成する第２保持部材２１の開口部１２側には、３箇所の突起２２ａ〜２２ｃが設けられているため、たとえ両者の係合が離れても、突起２２ａ〜２２ｃが溝４５ａ〜４５ｃに係合するため、清掃具４０が清掃用具１０から容易には脱落しない。なお、両端部の突起２２ａ，２２ｃの先端部は、清掃具４０を保持しない状態において、それぞれ、第１保持部材１３に当接するように、中央部の突起２２ｂは多少隙間をあけるように折り曲げているのが好ましい。
【００３６】
また、開口部１２の開口寸法はねじ５１とナット５２との締め付けの程度によって調整が可能である。
【００３７】
また、上記実施の形態においては、第１保持部材とグリップ部とを一体とした場合について説明したが、これに限らず、別部品としてもよいし、第２保持部材とグリップ部とを一体としてもよい。
【００３８】
また、上記実施の形態においては、第１保持部材と第２保持部材とを接続するのにねじとナットを用いた場合について説明したがこれに限らず、両者間において支点として作用するものであれば任意のもので接続できる。
【００３９】
また、上記実施の形態においては、清掃具４０としてゴム板を例に上げて説明したが、これに限らず、任意の清掃具を取り付け可能である。
【００４０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４１】
この発明に係る清掃用具は、小さな力で清掃具を交換できるため、清掃用具として有利に使用される。
【図面の簡単な説明】
【００４２】
【図１】この発明の一実施の形態に係る清掃用具および清掃用具に保持される清掃具を示す図である。
【図２】清掃用具の分解斜視図である。
【図３】清掃用具の各面を示す図である。
【図４】清掃用具に保持された清掃具を交換する手順を示す図である。
【図５】清掃用具に保持された清掃具を交換する手順を示す図である。
【符号の説明】
【００４３】
１０  清掃用具、１１  グリップ部、１２  開口部、１３  第１保持部材、１３ａ  先端部、１５ａ  上部、１６  穴、１９  チャネル、２０  保持部、２１  第２保持部材、２２  上端部、２４  板ばね、２５  棒状部材、２８  穴、３０  レバー、３３  頂部、３４  角部、３５  第１曲面部、３６  平面部、３７  第２曲面部、４０  清掃具、４１  ゴム板、４２  固定具。
【図１】
2008173191.tif 000003
【図２】
2008173191.tif 000004
【図３】
2008173191.tif 000005
【図４】
2008173191.tif 000006
【図５】
2008173191.tif 000007